【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
中心軸と、雄ルアー先端を有する雄端部及び雌端部を有する中空ボアとを有するハウジングと、
少なくとも部分的に前記雄ルアー先端の内部空間の中に延びるように構成されたバルブ部材であって、前記バルブ部材は、第１開放端部、第２閉鎖端部、前記バルブ部材の軸に沿って延在する内部通路を備え、前記バルブ部材の前記閉鎖端部の近くにある少なくとも１個の開口が前記バルブ部材を通って前記内部通路の中に延びている、バルブ部材と、
前記雌端部と流体連通する開口と、前記バルブ部材の第１開放端部に流体連通する第２の開口とを有する硬質管路と、
を備える医療用コネクタにおいて、
前記バルブ部材の少なくとも一部分と前記硬質管路とが重なるように、前記硬質管路と前記バルブ部材の前記第１開放端部とが前記中心軸に沿って互いに対して可動であり、よって、前記バルブ部材が第１位置から第２位置に移動すると、前記ハウジングの流体輸送用の内部領域に容積変化を生じ、
前記内部領域の容積は前記第１位置における方が前記第２位置におけるよりも大きく、
前記第２の開口の断面積は、前記バルブ部材の内部通路の断面積よりも小さく、
付勢部材が、前記バルブ部材と前記ハウジングとを結合するように構成されている、医療用コネクタ。
【請求項２】
前記バルブ部材に装着された少なくとも１個のストラットをさらに備え、前記ストラットの少なくとも一部分が前記バルブ部材の中心軸にほぼ平行に延びている、請求項１に記載の医療用コネクタ。
【請求項３】
前記バルブ部材の前記第１開放端部と前記硬質管路との間の緊密な嵌合を生じるように適用された第２シーリング要素をさらに備える、請求項１に記載の医療用コネクタ。
【請求項４】
前記バルブ部材の前記第１開放端部の少なくとも一部分が前記硬質管路の断面積よりも大きい断面積を備える、請求項１に記載の医療用コネクタ。
【請求項５】
前記バルブ部材を前記第１位置から手動で変位させるアクチュエータをさらに備える、請求項１に記載の医療用コネクタ。
【請求項６】
前記ハウジング内に定置され、前記ハウジングの前記雌端部と前記ハウジングの前記雄端部との間の流体連通を阻止するように適用された第２シーリング要素をさらに備える、請求項１に記載の医療用コネクタ。
【請求項７】
前記第２シーリング要素はスリットをさらに備える、請求項６に記載の医療用コネクタ。
【請求項８】
前記第２シーリング要素は、前記硬質管路の一部分と協働するように適用され、前記ハウジングの前記雌端部と前記ハウジングの内部の一部分との間に、容積を変化させつつ、流体を流すことを可能にする請求項６に記載の医療用コネクタ。
【請求項９】
前記雌端部と前記バルブ部材の前記内部通路との間の流体の流れを選択的に妨げる手段をさらに備える、請求項１に記載の医療用コネクタ。
【請求項１０】
前記流体の流れを選択的に妨げる前記手段は、前記バルブ部材に装着される、少なくとも２つの孔を備えたチャンバを備える、請求項９に記載の医療用コネクタ。
【請求項１１】
前記流体の流れを選択的に妨げる前記手段は、前記雌端部の内部空間と前記バルブ部材の前記通路の入口との間の狭い通路に少なくとも部分的に配置されたポペットを備える、請求項９に記載の医療用コネクタ。
【請求項１２】
前記バルブ部材と前記硬質管路との重なり部分の間に配置されたシーリング要素をさらに備える、請求項１に記載の医療用コネクタ。
【請求項１３】
中空ボアを有するハウジングと、第１端部と、第２端部と、雄ルアー先端とを有するハウジングと、
前記ハウジングを通じて少なくとも部分的に延びるように構成された硬質バルブ部材であって、該バルブ部材は、第１開放端部、第２閉鎖端部、内部通路、及び前記バルブ部材を通って前記内部通路の中に延びている前記バルブ部材の側部の少なくとも１つの開口を備える、硬質バルブ部材と、
前記バルブ部材の前記雌端部と第１開放端部とに流体連通する硬質管路であって、前記バルブ部材と前記硬質管路の少なくとも一部分とが重なるように、前記硬質管路と前記バルブ部材の前記第１開放端部とが互いに対して可動であり、それによって、前記バルブ部材が雄ルアー先端を通る流体の流れが阻止される第１位置から雄ルアー先端を通る流体の流れが許容される第２位置に移動すると、前記ハウジングの内部領域中の流体体積収容能力の変化を生じ、前記内部領域の流体体積収容能力は前記第１位置における方が前記第２位置におけるよりも大きい、前記硬質管路と、
前記バルブ部材と前記ハウジングとに接続されているとともに、前記バルブ部材を前記第１位置に向かって付勢するように構成された弾性部材と、
前記ハウジングの内部に配置され、前記ハウジングの前記雄ルアー先端の内部と前記バルブ部材の外部との間の前記ハウジングの中空ボアを通じた流体連通を阻止するように構成され、基体部分と、該基体部分に略同軸上に位置合わせされた少なくとも１つの環状部分と、前記基体部分の外壁から延在する少なくとも１つの突起とを有するシーリング要素と、
を備える医療用コネクタ。
【請求項１４】
前記バルブ部材に装着された少なくとも１個のストラットをさらに備え、前記ストラットの少なくとも一部分が前記バルブ部材の中心軸にほぼ平行に延びている、請求項１３に記載の医療用コネクタ。
【請求項１５】
前記バルブ部材を前記第１位置から手動で変位させるアクチュエータをさらに備える、請求項１３に記載の医療用コネクタ。
【請求項１６】
前記ハウジング内に定置され、前記ハウジングの前記雌端部と前記ハウジングの前記雄端部との間の流体連通を阻止するように適用された第２シーリング要素をさらに備える、請求項１３に記載の医療用コネクタ。
【請求項１７】
前記第２シーリング要素はスリットをさらに備える、請求項１６に記載の医療用コネクタ。
【請求項１８】
前記雌端部と前記バルブ部材の前記内部通路との間の流体の流れを選択的に妨げる手段をさらに備える、請求項１３に記載の医療用コネクタ。
【請求項１９】
前記流体の流れを選択的に妨げる前記手段は、前記バルブ部材に装着される、少なくとも２つの孔を備えたチャンバを備える、請求項１８に記載の医療用コネクタ。
【請求項２０】
前記流体の流れを選択的に妨げる前記手段は、前記バルブ部材の前記雌端部の内部空間と前記通路の入口との間の狭い通路に少なくとも部分的に配置されたポペットを備える、請求項１８に記載の医療用コネクタ。
【請求項２１】
中空ボアを有するハウジングであって、第１の端部、第２の端部、及び雄ルアー先端を有するハウジングと、
少なくとも部分的に前記ハウジングを通じて延在し、雄ルアー先端を通る流体の流れが阻止される第１位置と雄ルアー先端を通る流体の流れが許容される第２位置との間を移動するように構成されたバルブ部材であって、第１開放端部、第２閉鎖端部、及び内部通路を備えるバルブ部材と、
前記バルブ部材と前記ハウジングとを連結し、力が前記バルブ部材にかけられる際に、前記バルブ部材が前記ハウジングの第１端部の方へ移動するのを許容しつつ、前記バルブ部材を前記ハウジングの第２端部の方へ付勢するように構成された少なくとも２つの相互連結された環状部材を有する弾性部材と、
を備える医療用コネクタ。
【請求項２２】
前記バルブ部材に装着された少なくとも１個のストラットをさらに備え、前記ストラットの少なくとも一部分が前記バルブ部材の中心軸にほぼ平行に延びている、請求項２１に記載の医療用コネクタ。
【請求項２３】
前記バルブ部材を前記第１位置から手動で変位させるアクチュエータをさらに備える、請求項２１に記載の医療用コネクタ。
【請求項２４】
前記ハウジング内に定置され、前記ハウジングの前記雌端部と前記ハウジングの前記雄端部との間の流体連通を阻止するように適用されたシーリング要素をさらに備える、請求項２１に記載の医療用コネクタ。
【請求項２５】
前記シーリング要素がスリットをさらに備える、請求項２４に記載の医療用コネクタ。
【請求項２６】
前記シーリング要素は、前記硬質管路の一部分と協働するように構成され、前記ハウジングの前記雌端部と前記ハウジングの内部の一部分との間で容積を変化させつつ流体を流すことを可能にする、請求項２４に記載の医療用コネクタ。
【請求項２７】
前記雌端部と前記バルブ部材の前記内部通路との間で流体の流れを選択的に妨げる手段をさらに備える、請求項２１に記載の医療用コネクタ。
【請求項２８】
前記流体の流れを選択的に妨げる前記手段は、前記バルブ部材に装着された少なくとも２つの孔を備えたチャンバを備える、請求項２７に記載の医療用コネクタ。
【請求項２９】
前記流体の流れを選択的に妨げる前記手段は、前記雌端部の内部空間と前記バルブ部材の前記通路の入口との間の狭い通路に少なくとも部分的に配置されたポペットを備える、請求項２７に記載の医療用コネクタ。
【請求項３０】
前記ハウジング内に配置され、前記ハウジングの前記雄ルアー先端の内部と前記バルブ部材の外部との間の前記ハウジングの中空ボアを通じた流体連通を阻止するように構成されたシーリング要素をさらに備える、請求項１に記載の医療用コネクタ。
【請求項３１】
前記第２の開口の断面積は、前記バルブ部材の内部通路の断面積より小さい、請求項１に記載の医療用コネクタ。
【請求項３２】
前記第２の開口の断面積は、前記バルブ部材の内部通路の断面積の半分より小さい、請求項１に記載の医療用コネクタ。
【請求項３３】
前記第２の開口の断面積は、前記バルブ部材の内部通路の断面積の４分の一より小さい、請求項１に記載の医療用コネクタ。
【請求項３４】
前記第２の開口の断面積は、前記バルブ部材の内部通路の断面積の５分の一より小さい、請求項１に記載の医療用コネクタ。
【請求項３５】
前記環状部分が前記基体部分の端部部分に位置づけられるように、前記シーリング要素が構成されている、請求項１３に記載のコネクタ。
【請求項３６】
前記基体部分は、実質的に円筒形状である、請求項１３に記載のコネクタ。
【請求項３７】
前記少なくとも１つの突起が略長方形の断面形状である、請求項１３に記載のコネクタ。
【請求項３８】
前記シーリング要素は、前記基体部分の外壁から延在する２つの突起を有する、請求項１３に記載のコネクタ。
【請求項３９】
前記シーリング要素は、シリコーンベースの材料から形成されている、請求項１３に記載のコネクタ。
【請求項４０】
前記２つの環状部材は、少なくとも１つの弾性部材によって相互接続されている、請求項２１に記載のコネクタ。
【請求項４１】
前記２つの環状部材は、略同軸状に位置合わせされている、請求項２１に記載のコネクタ。
【請求項４２】
前記２つの環状部材は、２つの弾性部材によって離間されている、請求項２１に記載のコネクタ。
【請求項４３】
前記環状部材の少なくとも１つは、前記ハウジングの外側において支持されている、請求項２１に記載のコネクタ。
【請求項４４】
前記環状部材の少なくとも１つは、前記ハウジングの内側において支持されている、請求項２１に記載のコネクタ。
【請求項４５】
前記環状部材の少なくとも１つは、前記バルブ部材によって支持されている、請求項２１に記載のコネクタ。
【請求項４６】
前記環状部材の少なくとも１つは、前記バルブ部材内の通路を囲むように構成されている、請求項２１に記載のコネクタ。
【請求項４７】
前記力は、前記バルブ部材の第２端部にかけられる、請求項２１に記載のコネクタ。
【請求項４８】
前記力は、前記バルブ部材によって支持されている１つ以上のストラットにかけられる、請求項２１に記載のコネクタ。